(57)【要約】【課題】設備メンテナンス等に伴って、チャンネルの一部を変更する等の処理を行う際に、提供中のサービスを中断させないで継続させる。【解決手段】所定のチャンネルに関連する設備メンテナンス等を行う場合に、送信装置１のＳＩ生成部１０は、チャンネルに関する物理伝送情報（中心周波数、変調方式、誤り訂正符号）が追加され、かつ使用を停止するチャンネルの有効期限が設定された新たな複数搬送波分割伝送記述子を含むＳＩを生成し、多重化部１１は、ＳＩをＴＳに多重化する。ヘッダ生成部１２は、他のチャンネルの搬送波によってもＴＳを構成する一部の情報が同時に伝送されていることを示す代替搬送波有無情報及び優先度を含むヘッダ情報を生成する。分割部１３は、系統毎に、ＳＩ及びＴＳが多重化されたＴＳパケットとヘッダ情報とを所定位置に格納したスーパーフレームを生成する。【選択図】図４
2015012421.tif 000002
【特許請求の範囲】
【請求項１】
１つまたは複数のＴＳ（トランスポートストリーム）をフレームに多重化し、複数のフレームにより構成されたスーパーフレームをチャンネル毎に生成し、前記チャンネル毎のスーパーフレームを、前記チャンネルに対応したそれぞれの搬送波により送信する送信装置において、
前記スーパーフレームを前記搬送波により受信する受信装置が前記搬送波を選択するために必要なチャンネル毎の記述子情報であって、前記チャンネル毎に、前記搬送波の周波数、変調方式、及び前記搬送波による送信を停止する場合には停止時刻を設定した有効期限の各記述子情報を含む記述子を入力し、前記記述子を含むＳＩ（サービス情報）を生成するＳＩ生成部と、
前記ＳＩ生成部により生成されたＳＩを前記ＴＳに多重化する多重化部と、
前記多重化部によりＳＩが多重化されたＴＳを前記フレームのデータスロットに格納するための割り当てを規定したスロット割当情報を入力し、前記スロット割当情報を含むヘッダ情報を生成するヘッダ生成部と、
前記スロット割当情報に基づいて、前記ヘッダ生成部により生成されたヘッダ情報、及び前記多重化部によりＳＩが多重化されたＴＳを前記フレームに多重化し、前記チャンネル毎の周期が同じになるように、前記ＴＳをチャンネル毎に分割したスーパーフレームを生成する分割部と、
前記分割部により生成されたチャンネル毎のスーパーフレームを、前記記述子が示す変調方式でそれぞれ変調する変調部とを備え、
所定数のチャンネルのスーパーフレームを、前記所定数のチャンネルのそれぞれに対応した搬送波により送信している場合、前記所定数のチャンネルのうち所定チャンネルのスーパーフレームを送信停止する前に、
前記ＳＩ生成部は、前記所定数のチャンネル毎の前記記述子情報を含み、前記スーパーフレームの送信を停止する所定チャンネルの有効期限として前記送信停止する時刻が設定された第１の記述子を更新入力すると共に、新たに追加するチャンネルの前記記述子情報を含む第２の記述子を追加入力し、前記第１及び第２の記述子を含むＳＩを生成し、
前記分割部は、前記所定チャンネルのスーパーフレームに含まれるＴＳと、前記新たに追加するチャンネルのスーパーフレームに含まれるＴＳとが同じになるように、前記スーパーフレームを生成し、
当該送信装置が前記第１及び第２の記述子を含むスーパーフレームを送信する、ことを特徴とする送信装置。
【請求項２】
請求項１に記載の送信装置において、
前記ヘッダ生成部は、
前記スロット割当情報、及びＴＳを構成する一部の情報を他のチャンネルの搬送波によっても送信していることを示す代替搬送波有無情報を含む前記ヘッダ情報を生成し、
当該送信装置が前記第１及び第２の記述子及び前記ヘッダ情報を含むスーパーフレームを送信する、ことを特徴とする送信装置。
【請求項３】
請求項２に記載の送信装置において、
前記ヘッダ生成部は、
前記スロット割当情報及び前記代替搬送波有無情報、並びに、前記ＴＳを構成する一部の情報を複数の搬送波によって送信している場合に前記受信装置が前記複数の搬送波から１つの搬送波を選択するために用いる優先度を含むヘッダ情報を生成する、ことを特徴とする送信装置。
【請求項４】
請求項１の送信装置からチャンネル毎のスーパーフレームを、前記チャンネルに対応したそれぞれの搬送波により受信する受信装置において、
再生対象のＴＳを受信するための１または複数の搬送波が指定された第１の制御信号に従って前記搬送波を選択し、前記選択した搬送波をＩＦ信号に変換するチューナ部と、
前記再生対象のＴＳを復調するための変調方式が指定された第２の制御信号に従って、前記チューナ部により変換されたＩＦ信号を復調し、前記第１の制御信号により指定された搬送波の数に相当するチャンネル毎のスーパーフレームを生成する復調部と、
前記復調部により生成されたチャンネル毎のスーパーフレームからヘッダ情報を抽出し、前記ヘッダ情報に含まれるスロット割当情報に基づいて、前記スーパーフレームのデータスロットに格納されたＴＳパケットを合成して前記再生対象のＴＳに復元すると共に、前記ＴＳに含まれるＳＩを抽出する合成部と、
前記合成部により抽出されたＳＩから記述子を抽出し、前記記述子に含まれる搬送波を指定した前記第１の制御信号を生成し、前記第１の制御信号を前記チューナ部に出力すると共に、前記記述子に含まれる変調方式を指定した前記第２の制御信号を生成し、前記第２の制御信号を前記復調部に出力する制御部とを備え、
前記送信装置から所定数のチャンネルのスーパーフレームが、前記所定数のチャンネルのそれぞれに対応した搬送波により送信されている場合、前記所定数のチャンネルのうち所定チャンネルのスーパーフレームが送信停止される前に、
前記送信装置により、当該受信装置が搬送波を選択するために必要な前記所定数のチャンネル毎の記述子情報を含み、前記スーパーフレームの送信を停止する所定チャンネルの有効期限として前記送信停止する時刻が設定された第１の記述子、及び新たに追加するチャンネルの記述子情報を含む第２の記述子からＳＩが生成され、前記所定チャンネルのスーパーフレームに含まれるＴＳと、前記新たに追加するチャンネルのスーパーフレームに含まれるＴＳとが同じになるように、前記スーパーフレームが生成され、前記送信装置から、前記第１及び第２の記述子を含むＴＳが分割され複数の搬送波で分割伝送するためのスーパーフレームが送信されたときに、
前記制御部は、
前記合成部により抽出されたＳＩから前記第１及び第２の記述子を抽出し、前記第１及び第２の記述子に含まれる記述子情報に対応するチャンネルのうち、前記追加するチャンネルを含む搬送波を指定した前記第１の制御信号を生成し、前記第１の制御信号を前記チューナ部に出力し、前記第１の制御信号と同じチャンネルに対応する変調方式を指定した前記第２の制御信号を生成し、前記第２の制御信号を前記復調部に出力し、
前記合成部は、
前記復調部から前記第１及び第２の制御信号に対応するチャンネル毎のスーパーフレームを入力し、前記再生対象のＴＳに復元する、ことを特徴とする受信装置。
【請求項５】
請求項４に記載の受信装置において、
前記送信装置により、前記スロット割当情報、及びＴＳを構成する一部の情報を他のチャンネルの搬送波によっても送信していることを示す代替搬送波有無情報を含む前記ヘッダ情報が生成され、前記送信装置から前記ヘッダ情報を含むスーパーフレームが送信された場合に、
前記制御部は、
前記合成部により抽出されたヘッダ情報から前記代替搬送波有無情報を抽出し、同じＴＳを構成する一部の情報が送信されている複数のチャンネルの組み合わせのうちいずれか１つの組み合わせを選択して、前記１つの組み合わせに対応する複数のチャンネルの搬送波を指定した前記第１の制御信号を生成し、前記第１の制御信号と同じチャンネルに対応する変調方式を指定した前記第２の制御信号を生成する、ことを特徴とする受信装置。
【請求項６】
請求項５に記載の受信装置において、
前記送信装置により、前記スロット割当情報及び前記代替搬送波有無情報、並びに、前記同じＴＳを構成する一部の情報が複数の搬送波によって送信されている場合に前記複数の搬送波から１つの搬送波を選択するために用いる優先度を含むヘッダ情報が生成され、前記送信装置から前記ヘッダ情報を含むスーパーフレームが送信された場合に、
前記制御部は、
前記合成部により抽出されたヘッダ情報から前記代替搬送波有無情報及び前記優先度を抽出し、ＴＳを構成する一部の情報が送信されている複数のチャンネルのうち前記優先度の高い１つのチャンネルを含む搬送波を指定した前記第１の制御信号を生成し、前記第１の制御信号と同じチャンネルに対応する変調方式を指定した前記第２の制御信号を生成する、ことを特徴とする受信装置。
【発明の詳細な説明】
【技術分野】
【０００１】
本発明は、デジタルデータを、複数の搬送波を用いて伝送する送信装置及び受信装置に関するものである。
【背景技術】
【０００２】
デジタル有線テレビジョン放送のシステムは、（一社）日本ＣＡＴＶ技術協会による標準規格等で規定されているデジタル有線テレビジョン放送の信号を取り扱う多チャンネルの周波数分割多重（ＦＤＭ：Frequency Division Multiplex）伝送システムである。
【０００３】
各チャンネルの伝送帯域幅は６ＭＨｚであり、信号形式は、６４ＱＡＭ、２５６ＱＡＭ及びＯＦＤＭ（ＩＳＤＢ−Ｔ）であり、９０ＭＨｚから７７０ＭＨｚまでの帯域を用いて伝送されている。
【０００４】
具体的には、表１に示す信号形式により実用化されている。
【表１】
2015012421.tif 000003
【０００５】
また、デジタル有線テレビジョン放送システムにおける地上デジタル放送及びケーブルテレビの１チャンネル（６ＭＨｚ）あたりの伝送方式と情報容量は、表２に示すとおりである。
【表２】
2015012421.tif 000004
【０００６】
ところで、デジタル有線テレビジョン放送システムを用いて一搬送波の伝送容量（１チャンネルあたりの伝送容量）を超える大容量（例えばスーパーハイビジョン信号）のＭＰＥＧ−２  ＴＳを分配伝送する場合、従来の伝送方式では伝送することができないという問題がある。例えば、表２に示すように、ケーブルテレビの伝送方式が６４ＱＡＭの場合、１チャンネルあたりの伝送容量は２９．１６２Ｍｂｐｓであるが、現在の伝送方式では、この伝送容量を超える大容量のＭＰＥＧ−２  ＴＳを伝送することができない。
【０００７】
この問題を解決するために、複数の搬送波を用いて大容量のＴＳを分割伝送する手法が提案されている（非特許文献１、特許文献１を参照）。非特許文献１の手法は、ＴＳを複数の系統に分割し、分割した信号を６４ＱＡＭの伝送方式でそれぞれ変調し、複数の搬送波を用いてそれぞれ伝送するものである。受信装置は、複数の搬送波を用いて伝送されたそれぞれの信号を、元のＴＳのデータ列に戻すために、多重フレームヘッダを同期の基準とすることで、信号間の到達時間差を吸収して正しい順番に合成する。また、分割伝送した信号がどの搬送波を用いたものであるかを示す周波数情報と、分割した搬送波の合成順序を示す情報を受信装置へ知らせるために、複数搬送波分割伝送記述子を用いる。複数搬送波分割伝送記述子は、ＳＩ（サービス情報）の一部として送信装置から受信装置へ送信される。
【０００８】
しかしながら、この非特許文献１の手法では、異なる伝送方式を用いて分割伝送することができない。そこで、特許文献１には、複数の搬送波を用いて大容量のＴＳを分割伝送する際に、異なる伝送方式を用いることを可能にした手法が提案されている。この手法は、送信装置が例えば６４ＱＡＭと２５６ＱＡＭとを組み合わせてＴＳを分割伝送し、受信装置が元のＴＳを再生するために複数搬送波で分割伝送された信号を合成する場合に、所定のフレーム形式のスーパーフレームを用いるものである。
【０００９】
この特許文献１の手法を用いることにより、送信装置が、単一の搬送波の伝送容量を超える大容量のＴＳを分割してフレームに多重化し、複数の搬送波を用いて伝送する場合に、受信装置は、各搬送波で伝送されるスーパーフレームを同期させることが可能となる。その結果、送信装置が、ＴＳを伝送速度の異なる複数の搬送波（例えば６４ＱＡＭ信号及び２５６ＱＡＭ信号）に分割して伝送し、受信装置が、同期した複数のスーパーフレームから所望のＴＳを取り出すことが可能となる。
【００１０】
このような複数の搬送波を用いて大容量のＴＳを分割伝送する手法は、既存のデジタル有線テレビジョン放送システムを拡張して、スーパーハイビジョン等の大容量コンテンツを含む有線系の映像分配伝送システムへ応用することができるものとして期待されている。
【００１１】
また、複数のＴＳを伝送するシステムにおいて、簡単な変更によって複数のＴＳの独立性を保ったまま多重化及び分離することが可能な手法が提案されている（特許文献２を参照）。この手法は、一搬送波で複数のＴＳを多重するために、所定のフレーム形式を用いるものである。前述の特許文献１の手法は、この特許文献２の手法を基に拡張したものである。尚、特許文献２の手法は、我が国のデジタルケーブルテレビ伝送方式として実用化され、６４ＱＡＭの一搬送波で複数のＴＳを伝送するためのフレーム形式として用いられている。
【００１２】
また、前述の特許文献１の手法を実際に装置化し、ケーブルテレビによりスーパーハイビジョンを視聴可能にした伝送実験が行われ、その結果が開示された（非特許文献２を参照）。非特許文献２は、実際のケーブルテレビ施設を使用し、スーパーハイビジョンの大容量信号を分配伝送した実験の概要を示している。
【００１３】
〔複数搬送波伝送方式〕
ここで、複数の搬送波を用いて大容量のＴＳを分割伝送する方式（複数搬送波伝送方式）の概要について説明する。図１０は、複数搬送波伝送方式の概要を説明する図である。この複数搬送波伝送システムは、再送信施設（ヘッドエンド）に設けられた送信装置５０、及び家庭等に設けられた受信装置６０により構成される。送信装置５０は、スロット割当情報に基づいて、伝送するＳＨＶ（スーパーハイビジョン）のＴＳパケット及びＨＶ（ハイビジョン（登録商標））のＴＳパケットを、スーパーフレーム内の所定のスロット位置に格納することで、それぞれのＴＳを分割多重して５系統のスーパーフレームを生成する。そして、送信装置５０は、生成した５系統のスーパーフレームを、それぞれの系統の搬送波により、ケーブルテレビ伝送路７０を介して受信装置６０へ送信する。受信装置６０は、送信装置５０からケーブルテレビ伝送路７０を介して、それぞれの搬送波により５系統のスーパーフレームを受信し、スロット割当情報に基づいて、スーパーフレーム内の所定のスロット位置からＴＳパケットを抽出することで、元のＳＨＶのＴＳ及びＨＶのＴＳに合成して出力する。尚、ＳＨＶのＴＳパケット及びＨＶのＴＳパケットには、前述の複数搬送波分割伝送記述子を一部とするＳＩが含まれる。
【００１４】
送信装置５０は、分割部５１及び変調部５２を備えている。尚、図１０の送信装置５０には、複数搬送波伝送方式の概要を説明するために必要な構成部のみが示されており、送信部等の他の構成部は省略してある。
【００１５】
送信装置５０の分割部５１は、ＳＨＶのＴＳパケット及びＨＶのＴＳパケットを入力し、系統（チャンネル）毎に、スロット割当情報等に基づいて、スロット割当情報等を含む多重フレームヘッダを、スーパーフレームを構成する多重フレーム内のヘッダスロットに格納すると共に、入力したＳＨＶのＴＳパケット及びＨＶのＴＳパケットを、スーパーフレームを構成する多重化フレーム内のデータスロットに格納し、スーパーフレームを生成する。つまり、分割部５１は、スロット割当情報等に基づいて、多重フレームヘッダ、並びにＳＨＶのＴＳパケット及びＨＶのＴＳパケットをフレーム（多重化フレーム）に多重化し、ＳＨＶのＴＳパケット及びＨＶのＴＳパケットを系統毎に分割し、系統毎のスーパーフレームを生成する。これにより、ＳＨＶのＴＳ及びＨＶのＴＳは、５系統のスーパーフレームに分割多重される。
【００１６】
図１１は、系統毎に生成されるスーパーフレームの構成を説明する図である。分割部５１により、図１１に示す各系統のスーパーフレームが生成される。変調部５２において６４ＱＡＭ変調が行われる最上段の系統では、多重化フレームＴＳＭＦ１〜３にて構成される３１．６４４Ｍｂｐｓのスーパーフレームが生成される。また、変調部５２において２５６ＱＡＭ変調が行われる他の系統では、多重化フレームＴＳＭＦ１〜４にて構成される４２．１９２Ｍｂｐｓのスーパーフレームが生成される。これらのスーパーフレームの周期は同じである。
【００１７】
ここで、スロット割当情報は、図１０に示していないフレーム・スロット割当部により生成され、各系統におけるスーパーフレーム中の多重化フレーム数及びフレーム位置、並びに、各ＴＳパケットを割り当てるスーパーフレームにおける多重化フレーム中のスロット数及びスロット位置が規定された情報である。つまり、スロット割当情報は、各系統において生成されるスーパーフレームを構成する複数の多重化フレームのデータスロットに対し、複数のＴＳのそれぞれのＴＳパケットを格納するための割り当てを規定した情報である。分割部５１は、スロット割当情報に基づいて、入力したそれぞれのＴＳパケットを、各系統のスーパーフレームを構成する各多重化フレームのデータスロットに格納することで、系統毎のスーパーフレームを生成することができる。尚、スロット割当情報の構成、及びスロット割当情報に基づいてスーパーフレームを生成する処理は既知であり、詳細については前述の特許文献１を参照されたい。
【００１８】
図１０に戻って、変調部５２は、分割部５１により生成された５系統のスーパーフレームを入力し、系統毎に、スーパーフレームを所定の変調方式でＱＡＭ変調し、系統毎の変調信号を生成する。図１０の例では、第１〜第３，第５系統では、それぞれ２５６ＱＡＭ変調が行われ、第４系統では、６４ＱＡＭ変調が行われる。そして、各系統の変調信号の周波数は、伝送用の周波数に変換され、各系統に対応した搬送波を用いて各系統のスーパーフレームが送信される。
【００１９】
受信装置６０は、復調部６１及び合成部６２を備えている。尚、図１０の受信装置６０には、複数搬送波伝送方式の概要を説明するために必要な構成部のみが示されており、チューナ部等の他の構成部は省略してある。
【００２０】
受信装置６０の復調部６１は、図示しないチューナ部にて選局された各系統の信号を入力し、送信装置５０の変調部５２に対応する変調方式で復調し、系統毎のスーパーフレームを生成する。合成部６２は、復調部６１により生成された系統毎のスーパーフレームのヘッダスロットに格納されたスロット割当情報等を抽出し、スロット割当情報等に基づいて、データスロットからＴＳパケットを抽出して元のＳＨＶのＴＳ及びＨＶのＴＳに合成し、ＳＨＶのＴＳパケット及びＨＶのＴＳパケットを出力する。尚、合成部６２は、元のＴＳに合成する際に、ＴＳパケットからＳＩに含まれる複数搬送波分割伝送記述子を抽出し、各系統の信号がどの搬送波を用いたものであるかを判断する。
【００２１】
このように、送信装置５０は、複数のＴＳＭＦフレームにより構成されるスーパーフレームを生成することにより、大容量のＴＳを６４ＱＡＭまたは２５６ＱＡＭの複数の搬送波に分割して伝送し、受信装置６０においてスーパーフレーム単位の同期合成が可能となる。尚、処理の詳細については特許文献１を参照されたい。
【先行技術文献】
【特許文献】
【００２２】
【特許文献１】特開２０１２−２０９６７５号公報
【特許文献２】特許第３０５１７２９号公報
【非特許文献】
【００２３】
【非特許文献１】大須賀英己他、「複数搬送波分割伝送方式による高速ＭＰＥＧ−２  ＴＳ信号のケーブルテレビ伝送」、映像情報メディア学会誌、Vol.59,No.1、pp.58-64(2005)
【非特許文献２】“ケーブルテレビでもスーパーハイビジョンが視聴可能に！”、［online］、平成２５年２月１９日、ＮＨＫ報道資料、［平成２５年５月２１日検索］、インターネット＜ＵＲＬ：http://www.nhk.or.jp/pr/marukaji/m-giju343.html＞
【発明の概要】
【発明が解決しようとする課題】
【００２４】
ところで、デジタル有線テレビジョン放送システムにおいて、その放送事業者は、例えば設備メンテナンス等を行う場合、別の系統（チャンネル）を用いて同じデータを送信することがある。別のチャンネルを用いることができない場合は、提供中のサービスを一時的に中断することになる。
【００２５】
図１０に示した複数搬送波伝送システムのように、複数の搬送波を用いて大容量のＴＳを分割伝送し、受信装置にて合成しＴＳを再生する場合も同様に、変調方式を例えば６４ＱＡＭから２５６ＱＡＭへまたは２５６ＱＡＭから６４ＱＡＭへ変更することがある。そのときには、変調方式を変更してから、受信装置がその変更後の変調方式に従ってチャンネルを選局しＴＳを合成して出力するまでの間、提供中のサービスが中断することになる。
【００２６】
複数搬送波伝送方式を用いるケーブルテレビシステムにおいて、その運用上、搬送波の信号形式が変化する場合を想定すると、表３のとおりとなる。いずれの場合も、前述の複数搬送波分割伝送記述子を用いており、該当する搬送波のスーパーフレームの更新を伴う。
【表３】
2015012421.tif 000005
【００２７】
このように、複数搬送波伝送方式を用いたシステムにおいて、放送事業者が設備メンテナンス等を行うために、チャンネルの一部を変更したり、または変調方式を６４ＱＡＭから２５６ＱＡＭへ（または２５６ＱＡＭから６４ＱＡＭへ）変更したりする場合、提供中のサービス（例えばスーパーハイビジョン放送）を中断させることなく、システムを運用できることが望ましい。
【００２８】
そこで、本発明は前記課題を解決するためになされたものであり、その目的は、複数の搬送波を用いてデータを伝送するシステムにおいて、設備メンテナンス等に伴って、チャンネルの一部を変更しまたは変調方式を変更する等の処理を行う際に、提供中のサービスを中断させないで継続させることが可能な送信装置及び受信装置を提供することにある。
【課題を解決するための手段】
【００２９】
前記目的を達成するために、請求項１の送信装置は、１つまたは複数のＴＳ（トランスポートストリーム）をフレームに多重化し、複数のフレームにより構成されたスーパーフレームをチャンネル毎に生成し、前記チャンネル毎のスーパーフレームを、前記チャンネルに対応したそれぞれの搬送波により送信する送信装置において、前記スーパーフレームを前記搬送波により受信する受信装置が前記搬送波を選択するために必要なチャンネル毎の記述子情報であって、前記チャンネル毎に、前記搬送波の周波数、変調方式、及び前記搬送波による送信を停止する場合には停止時刻を設定した有効期限の各記述子情報を含む記述子を入力し、前記記述子を含むＳＩ（サービス情報）を生成するＳＩ生成部と、前記ＳＩ生成部により生成されたＳＩを前記ＴＳに多重化する多重化部と、前記多重化部によりＳＩが多重化されたＴＳを前記フレームのデータスロットに格納するための割り当てを規定したスロット割当情報を入力し、前記スロット割当情報を含むヘッダ情報を生成するヘッダ生成部と、前記スロット割当情報に基づいて、前記ヘッダ生成部により生成されたヘッダ情報、及び前記多重化部によりＳＩが多重化されたＴＳを前記フレームに多重化し、前記チャンネル毎の周期が同じになるように、前記ＴＳをチャンネル毎に分割したスーパーフレームを生成する分割部と、前記分割部により生成されたチャンネル毎のスーパーフレームを、前記記述子が示す変調方式でそれぞれ変調する変調部とを備え、所定数のチャンネルのスーパーフレームを、前記所定数のチャンネルのそれぞれに対応した搬送波により送信している場合、前記所定数のチャンネルのうち所定チャンネルのスーパーフレームを送信停止する前に、前記ＳＩ生成部が、前記所定数のチャンネル毎の前記記述子情報を含み、前記スーパーフレームの送信を停止する所定チャンネルの有効期限として前記送信停止する時刻が設定された第１の記述子を更新入力すると共に、新たに追加するチャンネルの前記記述子情報を含む第２の記述子を追加入力し、前記第１及び第２の記述子を含むＳＩを生成し、前記分割部が、前記所定チャンネルのスーパーフレームに含まれるＴＳと、前記新たに追加するチャンネルのスーパーフレームに含まれるＴＳとが同じになるように、前記スーパーフレームを生成し、当該送信装置が前記第１及び第２の記述子を含むスーパーフレームを送信する、ことを特徴とする。
【００３０】
また、請求項２の送信装置は、請求項１に記載の送信装置において、前記ヘッダ生成部が、前記スロット割当情報、及びＴＳを構成する一部の情報を他のチャンネルの搬送波によっても送信していることを示す代替搬送波有無情報を含む前記ヘッダ情報を生成し、当該送信装置が前記第１及び第２の記述子及び前記ヘッダ情報を含むスーパーフレームを送信する、ことを特徴とする。
【００３１】
また、請求項３の送信装置は、請求項２に記載の送信装置において、前記ヘッダ生成部が、前記スロット割当情報及び前記代替搬送波有無情報、並びに、前記ＴＳを構成する一部の情報を複数の搬送波によって送信している場合に前記受信装置が前記複数の搬送波から１つの搬送波を選択するために用いる優先度を含むヘッダ情報を生成する、ことを特徴とする。
【００３２】
さらに、請求項４の受信装置は、請求項１の送信装置からチャンネル毎のスーパーフレームを、前記チャンネルに対応したそれぞれの搬送波により受信する受信装置において、再生対象のＴＳを受信するための１または複数の搬送波が指定された第１の制御信号に従って前記搬送波を選択し、前記選択した搬送波をＩＦ信号に変換するチューナ部と、前記再生対象のＴＳを復調するための変調方式が指定された第２の制御信号に従って、前記チューナ部により変換されたＩＦ信号を復調し、前記第１の制御信号により指定された搬送波の数に相当するチャンネル毎のスーパーフレームを生成する復調部と、前記復調部により生成されたチャンネル毎のスーパーフレームからヘッダ情報を抽出し、前記ヘッダ情報に含まれるスロット割当情報に基づいて、前記スーパーフレームのデータスロットに格納されたＴＳパケットを合成して前記再生対象のＴＳに復元すると共に、前記ＴＳに含まれるＳＩを抽出する合成部と、前記合成部により抽出されたＳＩから記述子を抽出し、前記記述子に含まれる搬送波を指定した前記第１の制御信号を生成し、前記第１の制御信号を前記チューナ部に出力すると共に、前記記述子に含まれる変調方式を指定した前記第２の制御信号を生成し、前記第２の制御信号を前記復調部に出力する制御部とを備え、前記送信装置から所定数のチャンネルのスーパーフレームが、前記所定数のチャンネルのそれぞれに対応した搬送波により送信されている場合、前記所定数のチャンネルのうち所定チャンネルのスーパーフレームが送信停止される前に、前記送信装置により、当該受信装置が搬送波を選択するために必要な前記所定数のチャンネル毎の記述子情報を含み、前記スーパーフレームの送信を停止する所定チャンネルの有効期限として前記送信停止する時刻が設定された第１の記述子、及び新たに追加するチャンネルの記述子情報を含む第２の記述子からＳＩが生成され、前記所定チャンネルのスーパーフレームに含まれるＴＳと、前記新たに追加するチャンネルのスーパーフレームに含まれるＴＳとが同じになるように、前記スーパーフレームが生成され、前記送信装置から、前記第１及び第２の記述子を含むＴＳが分割され複数の搬送波で分割伝送するためのスーパーフレームが送信されたときに、前記制御部が、前記合成部により抽出されたＳＩから前記第１及び第２の記述子を抽出し、前記第１及び第２の記述子に含まれる記述子情報に対応するチャンネルのうち、前記追加するチャンネルを含む搬送波を指定した前記第１の制御信号を生成し、前記第１の制御信号を前記チューナ部に出力し、前記第１の制御信号と同じチャンネルに対応する変調方式を指定した前記第２の制御信号を生成し、前記第２の制御信号を前記復調部に出力し、前記合成部が、前記復調部から前記第１及び第２の制御信号に対応するチャンネル毎のスーパーフレームを入力し、前記再生対象のＴＳに復元する、ことを特徴とする。
【００３３】
また、請求項５の受信装置は、請求項４に記載の受信装置において、前記送信装置により、前記スロット割当情報、及びＴＳを構成する一部の情報を他のチャンネルの搬送波によっても送信していることを示す代替搬送波有無情報を含む前記ヘッダ情報が生成され、前記送信装置から前記ヘッダ情報を含むスーパーフレームが送信された場合に、前記制御部が、前記合成部により抽出されたヘッダ情報から前記代替搬送波有無情報を抽出し、同じＴＳを構成する一部の情報が送信されている複数のチャンネルの組み合わせのうちいずれか１つの組み合わせを選択して、前記１つの組み合わせに対応する複数のチャンネルの搬送波を指定した前記第１の制御信号を生成し、前記第１の制御信号と同じチャンネルに対応する変調方式を指定した前記第２の制御信号を生成する、ことを特徴とする。
【００３４】
また、請求項６の受信装置は、請求項５に記載の受信装置において、前記送信装置により、前記スロット割当情報及び前記代替搬送波有無情報、並びに、前記同じＴＳを構成する一部の情報が複数の搬送波によって送信されている場合に前記複数の搬送波から１つの搬送波を選択するために用いる優先度を含むヘッダ情報が生成され、前記送信装置から前記ヘッダ情報を含むスーパーフレームが送信された場合に、前記制御部が、前記合成部により抽出されたヘッダ情報から前記代替搬送波有無情報及び前記優先度を抽出し、ＴＳを構成する一部の情報が送信されている複数のチャンネルのうち前記優先度の高い１つのチャンネルを含む搬送波を指定した前記第１の制御信号を生成し、前記第１の制御信号と同じチャンネルに対応する変調方式を指定した前記第２の制御信号を生成する、ことを特徴とする。
【発明の効果】
【００３５】
以上のように、本発明によれば、複数の搬送波を用いてデータを伝送するシステムにおいて、設備メンテナンス等に伴って、チャンネルの一部を変更しまたは変調方式を変更する等の処理を行う際に、提供中のサービスを中断させないで継続させることが可能となる。
【００３６】
例えば、設備メンテナンス等を行うときに、利用中のチャンネルを空けることができ、利用中の複数の搬送波の組み合せを変化させたり、搬送波の数を変化させたりすることができる。また、設備更新に伴って伝送容量を増加させるときには、変調方式を例えば６４ＱＡＭから２５６ＱＡＭに変更することができる。一方、伝送特性劣化等の事情により伝送容量を減少させるときには、変調方式を例えば２５６ＱＡＭから６４ＱＡＭに変更することができる。
【図面の簡単な説明】
【００３７】
【図１】本発明の実施形態による送信装置の構成を示すブロック図である。
【図２】複数搬送波分割伝送記述子の構成を示す図である。
【図３】ヘッダ情報の構成を示す図である。
【図４】送信装置において使用中のチャンネルを停止する必要がある場合の信号処理を示すフローチャートである。
【図５】図４の処理を補足する説明図である。
【図６】複数搬送波分割伝送記述子Ａの構成を示す図である。
【図７】複数搬送波分割伝送記述子Ｂの構成を示す図である。
【図８】本発明の実施形態による受信装置の構成を示すブロック図である。
【図９】受信装置における選局処理を示すフローチャートである。
【図１０】複数搬送波伝送方式の概要を説明する図である。
【図１１】系統毎に生成されるスーパーフレームの構成を説明する図である。
【発明を実施するための形態】
【００３８】
以下、本発明を実施するための形態について図面を用いて詳細に説明する。
〔送信装置〕
まず、本発明の実施形態による送信装置について説明する。図１は、本発明の実施形態による送信装置の構成を示すブロック図である。この送信装置１は、ＳＩ生成部１０、多重化部１１、ヘッダ生成部１２、分割部１３、変調部１４−１〜１４−Ｎ及び送信部１５−１〜１５−Ｎを備えている。Ｎは１以上の整数である。送信装置１は、所定の大容量ＭＰＥＧ−２  ＴＳと複数搬送波分割伝送記述子を含むＳＩとを多重し、多重した信号をスロット割当情報に基づいて所定数Ｎに分割してスーパーフレームに格納すると共に、代替搬送波有無情報及び優先度を含むヘッダ情報をスーパーフレームに格納し、所定の変調を施してそれぞれの搬送波によりケーブルテレビ伝送路を介して送信する。複数搬送波分割伝送記述子、代替搬送波有無情報及び優先度については後述する。尚、図１の送信装置１には、本発明の実施形態を説明するために必要な構成部のみが示されており、他の構成部は省略してある。
【００３９】
送信装置１のＳＩ生成部１０は、複数搬送波分割伝送記述子等の伝送制御情報を入力し、送信対象のＴＳ毎に、ＴＳを識別するための情報（ＴＳｉｄ）、ケーブル分配システム記述子及び複数搬送波分割伝送記述子等を含むＮＩＴ（ネットワーク情報テーブル）を生成し、ＮＩＴを含むＳＩを生成する。複数搬送波分割伝送記述子は、ＮＩＴにおける記述子２の領域に格納される。ＳＩ生成部１０により生成されたＳＩは、多重化部１１へ出力される。
【００４０】
図２は、複数搬送波分割伝送記述子の構成を示す図である。複数搬送波分割伝送記述子は、送信対象のＴＳに対応した記述子であり、後述する受信装置２が選局を行うために必要なチャンネル毎の搬送波の中心周波数、変調方式等からなる情報である。この複数搬送波分割伝送記述子は、１番目のチャンネルに関する記述子情報、付随する搬送波数（付随する系統数（チャンネル数））の情報、２番目のチャンネルに関する記述子情報、及び到るＮ番目のチャンネルに関する記述子情報により構成される。例えば、使用するチャンネルの数が２の場合、複数搬送波分割伝送記述子は、１番目のチャンネルに関する記述子情報、付随する搬送波数の情報及び２番目のチャンネルに関する記述子情報により構成される。
【００４１】
チャンネルに関する記述子情報は、記述子タグ、記述子長、周波数、将来利用の情報、フレーム形式、外符号、変調方式、シンボルレート、内符号及び有効期限からなる。記述子タグは、チャンネルに関する記述子情報を識別するためのタグを示し、記述子長は、チャンネルに関する記述子情報の情報量を示し、周波数は、搬送波の中心周波数を示す。フレーム形式は、スーパーフレームを構成する多重化フレームの形式（ITU-T Rec J.183にて規定する複数ＴＳ伝送フレームであって、変調方式が６４ＱＡＭの場合のフレーム、または変調方式が２５６ＱＡＭの場合のフレーム）を示す。
【００４２】
有効期限は、当該チャンネルの搬送波による伝送を停止する時刻（送信停止時刻）を示し、時刻が設定されていない場合は伝送が停止されないことを示す。有効期限が設定されていることは、当該チャンネルにて伝送されているデータと同じデータが、他のチャンネルでも伝送されていることを意味する。また、有効期限が設定されてからその有効期限までの間は、当該チャンネルにて伝送されるデータと同じデータが、他のチャンネルでも伝送される。同じデータが伝送される他のチャンネルは、複数搬送波分割伝送記述子に追加される記述子情報に基づいて判断され、または後述するヘッダ情報の代替搬送波有無情報に基づいて判断される。
【００４３】
図１に戻って、多重化部１１は、伝送するＴＳを入力すると共に、ＳＩ生成部１０により生成されたＳＩを入力し、予め設定された時間間隔でＳＩをＴＳに多重化する。これにより、複数搬送波分割伝送記述子を含むＳＩは、予め設定された時間間隔にてＴＳに多重化され、後述する受信装置２へ送信される。
【００４４】
ヘッダ生成部１２は、代替搬送波有無情報、優先度、スロット割当情報等を入力し、分割部１３により生成される各系統のスーパーフレームを構成する全ての多重化フレーム毎に、ヘッダ情報を生成する。この場合、代替搬送波有無情報及びスロット割当情報は、複数搬送波分割伝送記述子に従った系統数（チャンネル数）及び変調方式等に対応した情報である。尚、スロット割当情報は、図１０と同様に、図１に示していないフレーム・スロット割当部により生成される。
【００４５】
図３は、スーパーフレームを構成する多重化フレームのヘッダ情報の構成を示す図である。このヘッダ情報は、ヘッダ生成部１２によりスーパーフレームを構成する多重化フレーム毎に生成され、代替搬送波有無情報（alternative use indicator）及び優先度（Priority）を含む。
【００４６】
代替搬送波有無情報は、当該多重化フレームを含むスーパーフレームが伝送されるチャンネルにおいて、当該多重化フレームに含まれる同じデータ（内容）が他のチャンネルの搬送波によっても同時に伝送されているか否かを示す。すなわち、２つ以上の搬送波によりＴＳを構成する一部の同じ内容が送出されているか否かを示す。他のチャンネルの搬送波によっても同じ内容が同時に送出されている場合、「１」が設定される。例えば、第１のチャンネルと第３のチャンネルにおいて同じ内容が同時に伝送される場合、第１のチャンネルにて伝送されるスーパーフレーム及び第３のチャンネルにて伝送されるスーパーフレームのそれぞれのヘッダ情報には、代替搬送波有無情報「１」が設定される。
【００４７】
優先度は、代替搬送波有無情報が「１」に設定された場合の選局の優先度を示す。代替搬送波有無情報が「１」に設定されている場合には、他のチャンネルにおいても同じ内容が同時に伝送されている。この場合、後述する受信装置２は、同じ内容が同時に伝送されている複数のチャンネルのうちのいずれかを選択（選局）する必要がある。そこで、優先度は、受信装置２にて選局を行うために用いられる。選局の優先度が低い場合は「００」が設定され、どちらでもない場合は「０１」が設定され、選局の優先度が高い場合は「１０」が設定され、未定義の場合「１１」が設定される。
【００４８】
尚、多重化フレームのデータスロットに対して複数のＴＳパケットを格納するためのスロット割当情報は、このヘッダ情報に含まれる。具体的には、ヘッダ情報の「Relative_ts_number」に、多重化フレームの各スロットに格納されたＴＳパケットの相対ＴＳ番号が格納される。
【００４９】
図１に戻って、分割部１３は、図１０に示した分割部５１と同様の処理を行う。具体的には、分割部１３は、多重化部１１によりＴＳとＳＩとが多重化されたデータ（ＴＳパケット）を入力すると共に、ヘッダ生成部１２により生成されたヘッダ情報を入力し、系統（チャンネル）毎に、スロット割当情報に基づいて、ヘッダ情報をスーパーフレーム内の多重化フレームのヘッダスロットに格納すると共に、ＴＳパケットをスーパーフレーム内の多重化フレームのデータスロットに格納し、スーパーフレームを生成する。つまり、分割部１３は、スロット割当情報に基づいて、ヘッダ情報及びＴＳパケットをフレーム（多重化フレーム）に多重化し、ＴＳパケットを系統毎に分割して系統毎のスーパーフレームを生成する。これにより、複数搬送波分割伝送記述子に従った系統数（チャンネル数）のスーパーフレームであって、ＴＳとＳＩとが多重化されたデータが分割されたスーパーフレームが生成される。分割部１３により生成されたＮ系統のスーパーフレーム１〜Ｎは、対応する変調部１４−１〜１４−Ｎへそれぞれ出力される。
【００５０】
また、分割部１３は、所定の場合に、複数搬送波分割伝送記述子の有効期限が設定されたチャンネルが示す系統のスーパーフレームに含まれるＴＳパケットと同じ情報を、複数搬送波分割伝送記述子に新たに追加されたチャンネルが示す系統のスーパーフレームのデータスロットに格納する。これにより、複数搬送波分割伝送記述子の有効期限が設定されたチャンネルのスーパーフレームに含まれるＴＳパケットと、複数搬送波分割伝送記述子に新たに追加されたチャンネルのスーパーフレームに含まれるＴＳパケットとが同じデータとなる。詳細については後述する。
【００５１】
変調部１４−１〜１４−Ｎは、分割部１３により生成された対応するスーパーフレームを入力し、系統毎に、スーパーフレームを所定の変調方式でＱＡＭ変調し、系統毎の変調信号を生成する。送信部１５−１〜１５−Ｎは、変調部１４−１〜１４−Ｎにより生成された対応する変調信号を入力し、変調信号の中心周波数を、複数搬送波分割伝送記述子に従った伝送用の周波数に変換し、各系統に対応した搬送波１〜Ｎによりスーパーフレーム１〜Ｎを送信する。
【００５２】
（使用中のチャンネルを停止する具体例）
次に、ＴＳを２つのチャンネル１，２にて分割伝送しているときに、チャンネル１に関連する設備メンテナンス等を行うために、ＴＳの伝送を中断することなく、チャンネル１の使用をチャンネル３の使用へ移行させ、その後チャンネル１の使用を停止する具体例について説明する。
【００５３】
図４は、送信装置１において、使用中のチャンネル１を停止する必要がある場合の信号処理を示すフローチャートであり、図５は、図４の処理を補足する説明図である。まず、送信装置１のＳＩ生成部１０は、ＴＳを２つの搬送波によりチャンネル１，２にて分割伝送するための複数搬送波分割伝送記述子Ａを入力する（ステップＳ４０１）。そして、複数搬送波分割伝送記述子Ａを含むＳＩは、ＴＳに多重化される。
【００５４】
図６は、複数搬送波分割伝送記述子Ａの構成を示す図である。複数搬送波分割伝送記述子Ａは、チャンネル１に関する記述子情報、付随する搬送波数「１」、及びチャンネル２に関する記述子情報から構成される。チャンネル１に関する記述子情報は、変調部１４−１が６４ＱＡＭの変調を行うことを示す情報、及び時刻が設定されていないことを示す有効期限（例えば「０」）を含む。また、チャンネル２に関する記述子情報は、変調部１４−２が６４ＱＡＭの変調を行うことを示す情報、及び時刻が設定されていないことを示す有効期限「０」を含む。
【００５５】
図４に戻って、分割部１３は、チャンネル１，２の系統毎に、ヘッダ生成部１２により生成されたヘッダ情報をスーパーフレーム内の多重化フレームのヘッダスロットに格納すると共に、スロット割当情報に基づいて、複数搬送波分割伝送記述子Ａを含むＳＩが多重化されたＴＳパケットをスーパーフレーム内の多重化フレームのデータスロットに格納し、スーパーフレーム１，２を生成する（ステップＳ４０２）。これにより、ＴＳとＳＩとが多重化されたデータが分割され、スーパーフレーム１，２が生成される。
【００５６】
送信部１５−１，１５−２は、変調部１４−１，１４−２により６４ＱＡＭ変調が行われたスーパーフレーム１，２を、各チャンネルに対応した搬送波によりそれぞれ送信する（ステップＳ４０３）。これにより、ＴＳが２つの搬送波によりチャンネル１，２にて６０Ｍｂｐｓで分割伝送されている状況となる。
【００５７】
ここで、ＴＳがチャンネル１，２にて分割伝送されている状況において、チャンネル１に関連する設備メンテナンス等を行うために、チャンネル１の使用を停止する必要性が生じたとする。送信装置１は、チャンネル１の搬送波による伝送を停止する前に、後述するステップＳ４０４〜ステップＳ４０８の処理により、ＴＳをチャンネル１，２にて分割伝送し、同時に、ＴＳをチャンネル２，３にて分割伝送する。
【００５８】
ＳＩ生成部１０は、ＴＳを２つの搬送波によりチャンネル１，２にて分割伝送する状況を維持すると共に、チャンネル１と同じ内容をチャンネル３にて伝送するために、ＴＳを２つの搬送波によりチャンネル２，３にて分割伝送するための複数搬送波分割伝送記述子Ｂを追加入力すると共に、ＴＳを２つの搬送波によりチャンネル１，２にて分割伝送し、かつチャンネル１の有効期限が設定された複数搬送波分割伝送記述子Ａを更新入力する（ステップＳ４０４）。そして、追加入力された複数搬送波分割伝送記述子Ｂ及び更新入力された複数搬送波分割伝送記述子Ａを含むＳＩは、ＴＳに多重化される。
【００５９】
図７は、複数搬送波分割伝送記述子Ｂの構成を示す図である。複数搬送波分割伝送記述子Ｂは、チャンネル２に関する記述子情報、付随する搬送波数「１」、及びチャンネル３に関する記述子情報から構成される。チャンネル２に関する記述子情報は、変調部１４−２が６４ＱＡＭの変調を行うことを示す情報、及び時刻が設定されていないことを示す有効期限（例えば「０」）を含む。また、チャンネル３に関する記述子情報は、変調部１４−３が２５６ＱＡＭの変調を行うことを示す情報、及び時刻が設定されていないことを示す有効期限（例えば「０」）を含む。
【００６０】
また、更新入力された複数搬送波分割伝送記述子Ａは、図６に示した複数搬送波分割伝送記述子Ａにおいて、チャンネル１に関する記述子情報の有効期限に所定の時刻が設定された構成となる。
【００６１】
図４に戻って、ヘッダ生成部１２は、他の搬送波でも送出中であることを示す「１」の代替搬送波有無情報、及び所定の優先度を入力し、これらの情報を含むヘッダ情報を、スーパーフレーム１，３のヘッダ情報として生成する。また、スーパーフレーム２のヘッダ情報も生成する。例えば、チャンネル１，２，３にてスーパーフレーム１，２，３が伝送され、チャンネル１，３では同じ内容のスーパーフレーム１，３が伝送されているときに、受信装置２に対し、チャンネル１，２のスーパーフレーム１，２及びチャンネル２，３のスーパーフレーム２，３のうちの後者を選択させ、ＴＳを復調させる場合、スーパーフレーム１の優先度として選局の優先度が低いことを示す「００」が設定され、スーパーフレーム３の優先度として選局の優先度が高い「１０」が設定される。
【００６２】
分割部１３は、スーパーフレーム１，３のヘッダ情報をスーパーフレーム１，３内の多重化フレームのヘッダスロットに格納する（ステップＳ４０５）。また、分割部１３は、スーパーフレーム２のヘッダ情報をスーパーフレーム２内の多重化フレームのヘッダスロットに格納する。
【００６３】
そして、分割部１３は、ステップＳ４０２と同様に、スロット割当情報に基づいて、複数搬送波分割伝送記述子Ａ及び複数搬送波分割伝送記述子Ｂを含むＳＩが多重化されたＴＳパケットをスーパーフレーム１，２の多重化フレームのデータスロットに格納し、スーパーフレーム１，２を生成する。また、分割部１３は、スーパーフレーム１に格納したチャンネル１と同じ内容のＴＳパケットをスーパーフレーム３の多重化フレームのデータスロットに格納し、スーパーフレーム３を生成する（ステップＳ４０６）。つまり、分割部１３は、スーパーフレーム１と同じ内容のＴＳパケットを含むスーパーフレーム３を生成する。
【００６４】
この場合、分割部１３は、ＳＩに含まれるＮＩＴにおいて、複数搬送波分割伝送記述子Ａと複数搬送波分割伝送記述子Ｂが同一のＴＳを識別するための情報（ＴＳｉｄ）に対応すること、及び追加された複数搬送波分割伝送記述子Ｂ内で新たにチャンネル３に関する記述子情報が追加されていることを判断することで、チャンネル１のスーパーフレーム１と同じ内容を新たなチャンネル３のスーパーフレーム３にて送信する必要があることを判断し、スーパーフレーム３を生成する。
【００６５】
送信部１５−１，１５−２，１５−３は、変調部１４−１，１４−２により６４ＱＡＭ変調が行われたスーパーフレーム１，２、及び変調部１４−３により２５６ＱＡＭ変調が行われたスーパーフレーム３を、各チャンネルに対応した搬送波によりそれぞれ送信する（ステップＳ４０７）。これにより、ＴＳが２つの搬送波によりチャンネル１，２にて６０Ｍｂｐｓで分割伝送され、同時に、ＴＳが２つの搬送波によりチャンネル２，３にて７０Ｍｂｐｓで分割伝送されている状況となる。
【００６６】
分割部１３は、チャンネル１の有効期限が経過したか否かを判定し（ステップＳ４０８）、有効期限が経過していないと判定した場合（ステップＳ４０８：Ｎ）、ステップＳ４０５〜ステップＳ４０７の処理を繰り返す。これにより、ＴＳが２つの搬送波によりチャンネル１，２にて６０Ｍｂｐｓで分割伝送され、同時に、ＴＳが２つの搬送波によりチャンネル２，３にて７０Ｍｂｐｓで分割伝送されている状況が継続する。
【００６７】
分割部１３は、ステップＳ４０８において、チャンネル１の有効期限が経過したことを判定した場合（ステップＳ４０８：Ｙ）、チャンネル１を停止するために、スーパーフレーム１の生成を停止する（ステップＳ４０９）。これにより、スーパーフレーム１の搬送波による送信が停止する。また、ヘッダ生成部１２は、スーパーフレーム１のヘッダ情報の生成を停止し、スーパーフレーム３のヘッダ情報に含まれる代替搬送波有無情報及び優先度を削除し、初期値（代替搬送波有無情報は「０」、優先度は未定義「１１」）に設定する（ステップＳ４１０）。そして、分割部１３は、スーパーフレーム２，３を生成し、送信部１５−２，１５−３は、変調部１４−２により６４ＱＡＭ変調が行われたスーパーフレーム２、及び変調部１４−３により２５６ＱＡＭ変調が行われたスーパーフレーム３の送信を、各チャンネルに対応した搬送波により継続する（ステップＳ４１１）。
【００６８】
これにより、チャンネル１が停止し、ＴＳが２つの搬送波によりチャンネル２，３にて７０Ｍｂｐｓで分割伝送されている状況となる。この場合、チャンネル１，２による６０Ｍｂｐｓの伝送がチャンネル２，３による７０Ｍｂｐｓの伝送に変更されるから、この伝送速度差である約１０Ｍｂｐｓ分の他の信号を多重することができ、伝送容量を増加することができる。
【００６９】
このように、ＴＳを２つのチャンネル１，２にて分割伝送しているときに、複数搬送波分割伝送記述子Ａに加えて複数搬送波分割伝送記述子Ｂを多重することにより、２つのチャンネル１，２による分割伝送と２つのチャンネル２，３による分割伝送とを並列に行う。これにより、後述する受信装置２は、チャンネル１，２またはチャンネル２，３のいずれの組み合わせによっても、所望のＴＳを復元することができる。そして、チャンネル１の有効期限が経過する前に、チャンネル１の使用をチャンネル３の使用へ移行させることにより、２つのチャンネル２，３による分割伝送へシームレスに移行することができる。したがって、ＴＳの伝送を中断することなく、ＴＳを伝送するチャンネルの組み合わせを変更すると共に変調方式も変更して、チャンネル１の使用を停止することができる。
【００７０】
以上のように、本発明の実施形態による送信装置１によれば、ＴＳが複数のチャンネルの搬送波により分割伝送されている状況において、所定のチャンネルに関連する設備メンテナンス等を行うために、そのチャンネルの使用を停止する必要性が生じた場合に、ＳＩ生成部１０は、使用を停止するチャンネルの有効期限（送信停止時刻）が設定された複数搬送波分割伝送記述子及びチャンネルに関する記述子情報が追加された新たな複数搬送波分割伝送記述子を含むＳＩを生成し、多重化部１１は、ＳＩを送信対象のＴＳに多重化し、ヘッダ生成部１２は、使用を停止するチャンネル及び追加するチャンネルのヘッダ情報として、他のチャンネルの搬送波によっても同じ内容が同時に伝送されていることを示す代替搬送波有無情報及び優先度を含むヘッダ情報を生成し、分割部１３は、チャンネル毎に、ＳＩ及びＴＳが多重化されたＴＳパケットとヘッダ情報とを所定位置に格納したスーパーフレームを生成し、変調部１４−１〜１４−Ｎ及び送信部１５−１〜１５−Ｎを介してそれぞれの搬送波により送信するようにした。
【００７１】
これにより、後述する受信装置２は、受信したＮＩＴに含まれる複数搬送波分割伝送記述子に基づいて、有効期限が設定されたチャンネル、及びそのチャンネルと同じ内容が伝送されているチャンネル（追加した記述子情報のチャンネル）を判断することができる。したがって、後述する受信装置２は、分割伝送されているＴＳによるサービスの期限を予知することができると共に、ＴＳを復元するための搬送波の組み合わせを、停止するチャンネルの搬送波を含む複数のチャンネルの搬送波の組み合わせから、追加したチャンネルの搬送波を含む複数のチャンネルの搬送波の組み合わせに移行した選局を行い（前述の具体例では、チャンネル１，２の搬送波の組み合わせからチャンネル２，３の搬送波の組み合わせに移行するための選局を行い）、停止するチャンネルの搬送波を未使用状態とすることができる。つまり、送信装置１は、ＴＳを復元するために必要な搬送波の組み合わせを変更することを、複数搬送波分割伝送記述子を用いて受信装置２へ通知することができる。
【００７２】
また、後述する受信装置２は、受信したスーパーフレームのヘッダ情報に含まれる代替搬送波有無情報に基づいて、同じ内容が同時に伝送されている複数のチャンネルを判断することができる。したがって、複数搬送波分割伝送記述子の場合と同様に、ＴＳを復元するための搬送波の組み合わせを変更することができ、停止するチャンネルの搬送波を含む複数のチャンネルの搬送波の組み合わせから、追加したチャンネルの搬送波を含む複数のチャンネルの搬送波の組み合わせに移行した選局を行い、停止するチャンネルの搬送波を未使用状態とすることができる。つまり、送信装置１は、ＴＳを復元するために必要な搬送波の組み合わせを変更したことを、ヘッダ情報に含まれる代替搬送波有無情報を用いて受信装置２へ通知することができる。
【００７３】
また、後述する受信装置２は、受信したスーパーフレームのヘッダ情報に含まれる優先度に基づいて、同じ内容が伝送されている複数のチャンネルの搬送波のうち、優先度の高いチャンネルの搬送波を選択し、優先度の高いチャンネルの搬送波を含む複数のチャンネルの搬送波の組み合わせに移行した選局を行うことができる。つまり、送信装置１は、設定した優先度に応じた選局を、受信装置２に行わせることができる。
【００７４】
したがって、設備メンテナンス等に伴って、チャンネルの一部を変更しまたは変調方式を変更する等の処理を行う際に、提供中のサービスを中断させないで継続させることが可能となる。
【００７５】
また、設備メンテナンス等に伴って、複数のチャンネルを追加することにより、搬送波の数を任意に変化させることができる。この場合、送信装置１のＳＩ生成部１０は、使用を停止するチャンネルの有効期限（送信停止時刻）が設定された複数搬送波分割伝送記述子、及び複数のチャンネルに関する記述子情報を追加した複数搬送波分割伝送記述子を含むＳＩを生成する。
【００７６】
また、設備メンテナンス等に伴って伝送容量を増加させるときには、変調方式を例えば６４ＱＡＭから２５６ＱＡＭに変更することができる。一方、伝送特性劣化等の事情により伝送容量を減少させるときには、変調方式を例えば２５６ＱＡＭから６４ＱＡＭに変更することができる。この場合、送信装置１のＳＩ生成部１０は、複数搬送波分割伝送記述子を含むＳＩを生成する際に、追加するチャンネルに関する記述子情報の変調方式に、前者の場合は２５６ＱＡＭを設定し、後者の場合は６４ＱＡＭを設定する。
【００７７】
〔受信装置〕
次に、本発明の実施形態による受信装置について説明する。図８は、本発明の実施形態による受信装置の構成を示すブロック図である。この受信装置２は、チューナ２０−１〜２０−Ｎ、復調部２１−１〜２１−Ｎ、合成部２２及び制御部２３を備えている。Ｎは１以上の整数である。受信装置２は、送信装置１から、所定の大容量ＭＰＥＧ−２  ＴＳ及び複数搬送波分割伝送記述子が格納され、代替搬送波有無情報及び優先度を含むヘッダ情報が格納された所定数Ｎのスーパーフレームを、それぞれの搬送波によりケーブルテレビ伝送路を介して受信し、複数搬送波分割伝送記述子または代替搬送波有無情報に基づいて、同じ内容が複数のチャンネルの搬送波により送信されていることを判断した場合、優先度等に基づいていずれかのチャンネルの搬送波を選択するための選局を行い、元のＭＰＥＧ−２  ＴＳを復調する。尚、図８の受信装置２には、本発明の実施形態を説明するために必要な構成部のみが示されており、スーパーフレーム間の時差を吸収する構成部等の他の構成部は省略してある。
【００７８】
チューナ２０−１〜２０−Ｎは、後述する制御部２３から、再生対象のＴＳを受信するための１または複数の搬送波が指定された制御信号１を入力し、制御信号１に従って搬送波を選択する。そして、チューナ２０−１〜２０−Ｎは、選択した搬送波を中間周波数のＩＦ信号に変換し、ＩＦ信号を対応する復調部２１−１〜２１−Ｎに出力する。例えば、後述する制御部２３がチャンネル１，２の搬送波を指定する制御信号１を出力すると、チューナ２０−１は、制御信号１に従ってチャンネル１の搬送波を選択し、チューナ２０−２は、制御信号１に従ってチャンネル２の搬送波を選択する。
【００７９】
復調部２１−１〜２１−Ｎは、後述する制御部２３から、再生対象のＴＳを復調するための変調方式が指定された制御信号２（送信装置１の変調部１４−１〜１４−Ｎの系統に対応する変調方式）を入力すると共に、対応する系統のチューナ２０−１〜２０−ＮからＩＦ信号を入力し、制御信号２に従った変調方式で復調してスーパーフレーム１〜Ｎを生成し、スーパーフレーム１〜Ｎを合成部２２に出力する。
【００８０】
合成部２２は、復調部２１−１〜２１−Ｎからスーパーフレーム１〜Ｎを入力し、スーパーフレーム１〜Ｎのヘッダスロットからヘッダ情報を取り出し、ヘッダ情報に含まれるスロット割当情報等に基づいて、スーパーフレーム１〜Ｎのデータスロットから再生対象のＴＳを構成するＴＳパケットを取り出して合成し、再生対象の元のＴＳに復元して出力する。
【００８１】
合成部２２は、ＳＩ抽出部２２１及びヘッダ抽出部２２２等を備えている。ＳＩ抽出部２２１は、スーパーフレーム１〜ＮのデータスロットからＴＳパケットを取り出し、ＴＳパケットからＮＩＴに含まれるＳＩを抽出し、ＳＩを制御部２３に出力する。ヘッダ抽出部２２２は、スーパーフレーム１〜Ｎのヘッダスロットからヘッダ情報を取り出し（抽出し）、ヘッダ情報を制御部２３に出力する。
【００８２】
制御部２３は、合成部２２からＳＩを入力し、ＳＩ内のＮＩＴに含まれるケーブル分配システム記述子及び複数搬送波分割伝送記述子を抽出し、ＴＳと搬送波の物理伝送情報（中心周波数、変調方式、誤り訂正符号等）との関係を把握するため、ケーブル分配システム記述子及び複数搬送波分割伝送記述子に基づいて、再生対象のＴＳが伝送されている搬送波の組み合わせ及び変調方式等を検知する。そして、制御部２３は、検知した搬送波の組み合わせによりチューナ２０−１〜２０−Ｎに選局を行わせる。具体的には、制御部２３は、検知した搬送波の組み合わせに対応した搬送波を指定する制御信号１を生成し、制御信号１をチューナ２０−１〜２０−Ｎに出力する。また、制御部２３は、検知した変調方式を指定する制御信号２を生成し、制御信号２を復調部２１−１〜２１−Ｎに出力する。
【００８３】
これにより、チューナ２０−１〜２０−Ｎは、複数搬送波分割伝送記述子に記述されたチャンネルに関する記述子情報に従った搬送波を選択することができ、復調部２１−１〜２１−Ｎは、複数搬送波分割伝送記述子に記述されたチャンネルに関する記述子情報に含まれる変調方式に従って復調を行うことができる。つまり、受信装置２は、送信装置１から送信されたチャンネル毎のスーパーフレーム１〜Ｎを生成することができる。
【００８４】
尚、受信装置２は、動作時の所定のタイミングにて（例えば一日に一回の所定時刻に）、周波数多重されている全チャンネルを予めスキャンし、ＴＳを受信できたチャンネルからＳＩを取得し、ＳＩ内のＮＩＴに含まれるケーブル分配システム記述子及び複数搬送波分割伝送記述子を抽出し、ＴＳの識別情報（ＴＳｉｄ）と搬送波の物理伝送情報の対応関係を取得するものとする。ＮＩＴには、ＴＳ毎に、ＴＳを識別するための情報（ＴＳｉｄ）、ケーブル分配システム識別子及び複数搬送波分割伝送記述子等の各種情報が含まれている。
【００８５】
また、制御部２３は、複数搬送波分割伝送記述子に有効期限が設定されている場合、再生対象のＴＳについて、同じ内容が複数の搬送波により伝送されていることを判断する。そして、制御部２３は、同じ内容を伝送している複数の搬送波のうち１つの搬送波を選択し、検知した搬送波の組み合わせから新たな搬送波の組み合わせを設定し、新たな搬送波の組み合わせによりチューナ２０−１〜２０−Ｎに選局を行わせる。これにより、合成部２２は、新たな組み合わせに対応したスーパーフレームを入力することができ、新たな組み合わせのスーパーフレームから再生対象の元のＴＳを復元することができる。
【００８６】
この場合、制御部２３は、同じ内容を伝送している複数の搬送波を、複数搬送波分割伝送記述子に基づいて特定する。具体的には、制御部２３は、複数搬送波分割伝送記述子に含まれる記述子情報のチャンネルのうち、有効期限が設定されているチャンネル及び新たに追加された記述子情報のチャンネルを特定し、これらのチャンネルの搬送波を、同じ内容を伝送している搬送波であると判断する。
【００８７】
尚、制御部２３は、合成部２２から各チャンネルのフレームヘッダ情報を取得し、フレームヘッダ情報から代替搬送波有無情報を抽出し、代替搬送波有無情報に基づいて、同じ内容を伝送している複数の搬送波を判断するようにしてもよい。具体的には、制御部２３は、代替搬送波有無情報として他の搬送波でも送出中「１」が設定されている複数のチャンネルを特定し、これらのチャンネルの搬送波を、同じ内容を伝送している搬送波であると判断する。
【００８８】
制御部２３は、同じ内容を伝送している複数の搬送波のうち１つの搬送波を選択する第１の手法として、有効期限が設定されていないチャンネルの搬送波を選択する。有効期限が設定されているチャンネルは、当該有効期限の時刻にて送信が停止する予定であるから、送信が停止する予定のないチャンネルの搬送波を選択することにより、送信の停止に先立って、送信が停止するチャンネルから送信が停止しない新たなチャンネルへ移行することができる。
【００８９】
尚、制御部２３は、同じデータを伝送している複数の搬送波のうち、任意に１つの搬送波を選択するようにしてもよい。制御部２３は、有効期限が設定されているチャンネルの搬送波を選択した場合には、有効期限に到達する所定時間前に、有効期限が設定されていないチャンネルの搬送波を選択する必要がある。
【００９０】
また、制御部２３は、第２の手法として、合成部２２から各チャンネルのフレームヘッダ情報を取得し、フレームヘッダ情報から代替搬送波有無情報及び優先度を抽出し、代替搬送波有無情報として他の搬送波でも送出中「１」が設定されており、かつ、優先度として選局の優先度が高い「１０」が設定されているチャンネルを特定し、当該チャンネルの搬送波を選択する。これにより、同じ内容を伝送している複数の搬送波のうち、送信装置１にて設定された優先度に従ったチャンネルの搬送波を選択することができる。
【００９１】
尚、制御部２３は、優先度として選局の優先度が高い「１０」が設定されているチャンネルが複数存在する場合、複数のチャンネルのうち任意の１チャンネルの搬送波を選択する。また、制御部２３は、優先度として選局の優先度が高い「１０」が設定されているチャンネルが存在しない場合、同じ内容を伝送している複数の搬送波のうち、任意に１つの搬送波を選択する。
【００９２】
また、代替搬送波有無情報として他の搬送波でも送出中「１」が設定されているチャンネルが、同じ内容が伝送されているチャンネルとなる。したがって、制御部２３は、各チャンネルのフレームヘッダ情報に含まれる代替搬送波有無情報に基づいて、代替搬送波有無情報として他の搬送波でも送出中「１」が設定されている複数のチャンネルを特定し、特定した複数のチャンネルの搬送波により同じ内容が伝送されていることを判断するようにしてもよい。
【００９３】
（選局処理）
次に、チャンネルの搬送波を選択する選局処理について説明する。図９は、受信装置２における選局処理を示すフローチャートである。まず、受信装置２がＮＩＴを受信すると（ステップＳ９０１）、受信装置２の制御部２３は、ＮＩＴからケーブル分配システム記述子及び複数搬送波分割伝送記述子を抽出する（ステップＳ９０２）。
【００９４】
制御部２３は、ケーブル分配システム記述子及び複数搬送波分割伝送記述子を構成するチャンネルに関する記述子情報の数に基づいて、ＴＳが複数の搬送波により分割伝送されているか（複数搬送波分割伝送であるか）、またはＴＳが単一の搬送波により伝送されているか（単一搬送波伝送であるか）を判定し、いずれかの伝送であるかを区別する（ステップＳ９０３）。例えば、制御部２３は、複数搬送波分割伝送記述子がＮＩＴに含まれている場合、複数搬送波分割伝送されているＴＳがあると判定し、ケーブル分配システム記述子により単一のチャンネルに関する記述子情報のみにより構成されている場合、単一搬送波伝送であると判定する。この場合、複数搬送波分割伝送記述子がＮＩＴに含まれていないとき、複数搬送波分割伝送されているＴＳが無く、単一搬送波伝送されているＴＳのみが同一のケーブルテレビのネットワークに周波数多重伝送されていると判定する。
【００９５】
制御部２３は、複数搬送波分割伝送ではなく単一搬送波伝送であると判定した場合（ステップＳ９０４：Ｎ）、単一搬送波の選局をチューナ２０−１〜２０−Ｎのいずれかに行わせる（ステップＳ９１２）。この場合、例えば複数搬送波分割伝送ではなく、スーパーフレームを用いない場合の選局が行われる。そして、合成部２２は、選局されたチャンネルからＴＳを再生し、出力する（ステップＳ９１３）。
【００９６】
制御部２３は、複数搬送波分割伝送であると判定した場合（ステップＳ９０４：Ｙ）、複数搬送波分割伝送記述子のチャンネルに関する記述子情報に含まれる有効期限が設定されているか否かを判定する（ステップＳ９０５）。例えば、制御部２３は、複数搬送波分割伝送記述子内の有効期限の箇所に、何らかの時刻が設定されている場合、有効期限が設定されていると判定し、当該箇所に時刻が設定されていない場合（例えば「０」が設定されている場合）、有効期限が設定されていないと判定する。
【００９７】
制御部２３は、ステップＳ９０５において、有効期限が設定されていないと判定した場合（ステップＳ９０５：Ｎ）、同じ内容が伝送されている他の搬送波は無いものと判断する（ステップＳ９０６）。この場合、選局は、複数搬送波分割伝送記述子に含まれる記述子情報のチャンネルにおける搬送波の組み合わせにて行われる。
【００９８】
制御部２３は、ステップＳ９０５において、有効期限が設定されていると判定した場合（ステップＳ９０５：Ｙ）、同じ内容が伝送されている他の搬送波が有るものと判断する（ステップＳ９０７）。そして、制御部２３は、合成部２２により抽出された各チャンネルのフレームヘッダ情報から各チャンネルの代替搬送波有無情報及び優先度を抽出する（ステップＳ９０８）。
【００９９】
制御部２３は、例えば、複数搬送波分割伝送記述子が示すチャンネルのうち、有効期限が設定されているチャンネル及び新たに追加された記述子情報のチャンネルを特定し、これらのチャンネルの搬送波により同じ内容が伝送されていると判断し、優先度に基づいて、同じ内容が伝送されている搬送波のうち、１つの搬送波を選択する（ステップＳ９０９）。そして、ステップＳ９１０へ移行する。
【０１００】
制御部２３は、ステップＳ９０６またはステップＳ９０９から移行して、搬送波の組み合わせによる選局をチューナ２０−１〜２０−Ｎに行わせる（ステップＳ９１０）。具体的には、制御部２３は、同じ内容が伝送されている搬送波が無い場合、ステップＳ９０６から移行して、複数搬送波分割伝送記述子が示すチャンネルにおける搬送波の組み合わせによる選局をチューナ２０−１〜２０−Ｎに行わせる。また、制御部２３は、同じ内容が伝送されている搬送波が有る場合、ステップＳ９０９から移行して、複数搬送波分割伝送記述子が示すチャンネルにおける搬送波の組み合わせのうち、ステップＳ９０９にて選択した搬送波を含む新たな搬送波の組み合わせによる選局をチューナ２０−１〜２０−Ｎに行わせる。
【０１０１】
合成部２２は、新たな組み合わせに対応したスーパーフレームを入力し、新たな組み合わせのスーパーフレームから再生対象の元のＴＳを再生し、出力する（ステップＳ９１１）。
【０１０２】
（使用中のチャンネルを停止する具体例）
次に、ＴＳを２つのチャンネル１，２にて分割伝送しているときに、チャンネル１に関連する設備メンテナンス等を行うために、ＴＳの伝送を中断することなく、チャンネル１の使用をチャンネル３の使用へ移行させ、その後チャンネル１の使用を停止する具体例について説明する。これは、前述した送信装置１における具体例と同じである。
【０１０３】
ＴＳが２つの搬送波によりチャンネル１，２にて分割伝送されており、受信装置２は、図６に示した複数搬送波分割伝送記述子Ａを抽出するものとする。受信装置２の合成部２２は、復調部２１−１〜２１−２からスーパーフレーム１，２を入力し、スーパーフレーム１，２のヘッダスロットからヘッダ情報を取り出し、ヘッダ情報に含まれるスロット割当情報等に基づいて、スーパーフレーム１，２のデータスロットからＴＳパケットを取り出して合成し、再生対象のＴＳに復元して出力する。これにより、図５に示したように、ＴＳが２つの搬送波によりチャンネル１，２にて６０Ｍｂｐｓで分割伝送されている状況となる。
【０１０４】
ここで、ＴＳがチャンネル１，２にて分割伝送されている状況において、チャンネル１に関連する設備メンテナンス等を行うために、チャンネル１の使用を停止する必要性が生じたとする。送信装置１は、図６に示した複数搬送波分割伝送記述子Ａ（チャンネル１及びチャンネル２に関する情報を含み、チャンネル１の有効期限が設定された複数搬送波分割伝送記述子）、及び図７に示した複数搬送波分割伝送記述子Ｂ（チャンネル２に関する情報に加えチャンネル３に関する情報が追加された複数搬送波分割伝送記述子）を含むスーパーフレームを送信する。また、送信装置１は、ＴＳを２つの搬送波によりチャンネル１，２にて分割伝送すると共に、チャンネル１と同じ内容をチャンネル３にて伝送する。
【０１０５】
受信装置２の制御部２３は、合成部２２のＳＩ抽出部２２１により抽出されたＳＩから複数搬送波分割伝送記述子Ａ及び複数搬送波分割伝送記述子Ｂを抽出し、複数搬送波分割伝送記述子Ｂがチャンネル２及びチャンネル３に関する記述子情報を含むから、複数搬送波分割伝送であると判定し、複数搬送波分割伝送記述子Ａには有効期限が設定されているから、同じ内容が伝送されている搬送波が有ると判定する。
【０１０６】
制御部２３は、合成部２２のヘッダ抽出部２２２により抽出されたチャンネル１，３のヘッダ情報から代替搬送波有無情報を抽出し、これらの代替搬送波有無情報には他の搬送波でも送出中「１」が設定されているから、チャンネル１，３において同じ内容が伝送されているものと判断する。
【０１０７】
このように、受信装置２は、ＳＩに含まれる複数搬送波分割伝送記述子Ａ及び複数搬送波分割伝送記述子Ｂまたはスーパーフレームのヘッダ情報に含まれる代替搬送波有無情報に基づいて、ＴＳが２つのチャンネル１，２により分割伝送され、同時に、２つのチャンネル２，３により分割伝送されていることを判断することができる。つまり、受信装置２は、所望のＴＳを復元するために、送信装置１から送信された複数搬送波分割伝送記述子Ａ及び複数搬送波分割伝送記述子Ｂまたはスーパーフレームのヘッダ情報に含まれる代替搬送波有無情報により、チャンネル１，２による組み合わせとチャンネル２，３による組み合わせとが有効であることの通知を受けることができる。そして、受信装置２は、チャンネル１，２を選局して、チャンネル１，２のスーパーフレーム１，２を合成するか、または、チャンネル２，３を選局して、チャンネル２，３のスーパーフレーム２，３を合成することにより、所望のＴＳを復元することができる。これにより、図５に示したように、ＴＳが２つの搬送波によりチャンネル１，２にて６０Ｍｂｐｓで分割伝送され、同時に、ＴＳが２つの搬送波によりチャンネル２，３にて７０Ｍｂｐｓで分割伝送されている状況となる。
【０１０８】
制御部２３は、ＴＳがチャンネル１，２の複数の搬送波により分割伝送され、かつ、チャンネル１，３において同じ内容が伝送されているものと判断すると、合成部２２のヘッダ抽出部２２２により抽出された各チャンネルのフレームヘッダ情報から各チャンネルの代替搬送波有無情報及び優先度を抽出する。そして、制御部２３は、例えば、優先度に基づいて、同じ内容が伝送されているチャンネル１，３の搬送波のうち、優先度の高いチャンネル３の搬送波を選択し、複数搬送波分割伝送記述子Ｂが示す新たな搬送波の組み合わせ（チャンネル２，３の搬送波の組み合わせ）を設定し、新たな搬送波の組み合わせによる選局をチューナ２０−２，２０−３に行わせる。
【０１０９】
合成部２２は、新たな組み合わせに対応したスーパーフレーム２，３を入力し、新たな組み合わせのスーパーフレーム２，３から再生対象の元のＴＳを再生し、出力する。これにより、ＴＳが２つの搬送波によりチャンネル１，２にて６０Ｍｂｐｓで分割伝送され、同時に、ＴＳが２つの搬送波によりチャンネル２，３にて７０Ｍｂｐｓで分割伝送されている状況において、後者の分割伝送が選択され、ＴＳが復元される。したがって、チャンネル１の使用を停止してもよい状態となる。
【０１１０】
その後、送信装置１において、チャンネル１の有効期限が経過すると、スーパーフレーム１の生成が停止され、チャンネル１の搬送波による送信が停止する。そして、複数搬送波分割伝送記述子及びヘッダ情報に含まれる代替搬送波有無情報及び優先度は、ＴＳが２つの搬送波によりチャンネル２，３にて分割伝送される状況に対応した情報に変更される。
【０１１１】
これにより、チャンネル１が停止し、ＴＳが２つの搬送波によりチャンネル２，３にて７０Ｍｂｐｓで分割伝送されている状況となる。つまり、ＴＳを２つのチャンネル１，２にて分割伝送しているときに、ＳＩに含まれる複数搬送波分割伝送記述子Ａと複数搬送波分割伝送記述子Ｂを併用することにより、２つのチャンネル１，２による分割伝送と２つのチャンネル２，３による分割伝送とを並列に行い、チャンネル１の有効期限が経過する前に、チャンネル１の使用をチャンネル３の使用へ移行させ、２つのチャンネル２，３による分割伝送へシームレスに移行することができる。したがって、ＴＳの伝送を中断することなく、ＴＳを伝送するチャンネルの組み合わせを変更すると共に変調方式も変更して、チャンネル１の使用を停止することができる。
【０１１２】
以上のように、本発明の実施形態による受信装置２によれば、ＴＳが複数のチャンネルの搬送波により分割伝送され、これらのチャンネルのスーパーフレームから元のＴＳを復元している状況において、所定のチャンネルに関連する設備メンテナンス等を行うために、そのチャンネルの使用を停止する必要性が生じた場合に、制御部２３は、合成部２２のＳＩ抽出部２２１により抽出されたＳＩから複数搬送波分割伝送記述子を抽出し、有効期限が設定されているチャンネルを、当該有効期限になると停止するチャンネルであると判断し、複数搬送波分割伝送記述子に含まれる追加された記述子情報のチャンネルを、停止するチャンネルと同じ内容が伝送されているチャンネルであると判断するようにした。そして、制御部２３は、ＴＳを復元するための搬送波の組み合わせを、停止するチャンネルの搬送波を含む複数のチャンネルの搬送波の組み合わせから、追加したチャンネルの搬送波を含む複数のチャンネルの搬送波の組み合わせに移行した選局を、チューナ２０−１〜２０−Ｎに行わせるようにした。
【０１１３】
また、制御部２３は、合成部２２のヘッダ抽出部２２２により抽出された各チャンネルのフレームヘッダ情報から代替搬送波有無情報を抽出し、代替搬送波有無情報に他の搬送波でも送出中「１」が設定されている複数のチャンネルを、同じ内容が同時に伝送されている複数のチャンネルであると判断するようにした。そして、制御部２３は、停止するチャンネルの搬送波を含む複数のチャンネルの搬送波の組み合わせから、追加したチャンネルの搬送波を含む複数のチャンネルの搬送波の組み合わせに移行した選局を、チューナ２０−１〜２０−Ｎに行わせるようにした。
【０１１４】
また、制御部２３は、合成部２２のヘッダ抽出部２２２により抽出された各チャンネルのフレームヘッダ情報から優先度を抽出し、同じ内容が伝送されている複数のチャンネルの搬送波のうち、優先度の高いチャンネルの搬送波を選択し、優先度の高いチャンネルの搬送波を含む複数のチャンネルの搬送波の組み合わせに移行した選局を、チューナ２０−１〜２０−Ｎに行わせるようにした。
【０１１５】
これにより、受信装置２は、停止するチャンネルの搬送波を未使用状態とすることができる。つまり、受信装置２は、ＴＳを復元するために必要な搬送波の組み合わせが変更されたことを、複数搬送波分割伝送記述子または代替搬送波有無情報を用いて認識することができる。したがって、設備メンテナンス等に伴って、チャンネルの一部を変更しまたは変調方式を変更する等の処理を行う際に、提供中のサービスを中断させないで継続させることが可能となる。この場合、運用中のチャンネルの伝送容量を増加させることができ、一部の搬送波を変更することができる。
【０１１６】
また、設備メンテナンス等に伴って、複数のチャンネルを追加することにより、搬送波の数を任意に変化させることができる。この場合、受信装置２の制御部２３は、複数搬送波分割伝送記述子または代替搬送波有無情報に基づいて、複数のチャンネルが追加されたことを認識することができる。また、設備メンテナンス等に伴って伝送容量を増加させるときには、受信装置２の制御部２３は、複数搬送波分割伝送記述子に基づいて、変調方式が例えば６４ＱＡＭから２５６ＱＡＭに変更されることを認識する。一方、伝送特性劣化等の事情により伝送容量を減少させるときには、受信装置２の制御部２３は、複数搬送波分割伝送記述子に基づいて、変調方式が例えば２５６ＱＡＭから６４ＱＡＭに変更されることを認識する。そして、制御部２３は、当該チャンネルの復調部２１にその変調方式で変調処理を行わせる。
【０１１７】
以上、実施形態を挙げて本発明を説明したが、本発明は前記実施形態に限定されるものではなく、その技術思想を逸脱しない範囲で種々変形可能である。例えば、前記実施形態では、デジタル有線テレビジョン放送システムを例にして説明したが、本発明は、デジタル有線テレビジョン放送システムに限定されるものではなく、複数の搬送波によりデジタルデータを伝送するシステムであれば適用がある。
【符号の説明】
【０１１８】
１，５０  送信装置
２，６０  受信装置
１０  ＳＩ（サービス情報）生成部
１１  多重化部
１２  ヘッダ生成部
１３，５１  分割部
１４，５２  変調部
１５  送信部
２０  チューナ
２１，６１  復調部
２２，６２  合成部
２３  制御部
７０  ケーブルテレビ伝送路
２２１  ＳＩ抽出部
２２２  ヘッダ抽出部
【図１】
2015012421.tif 000006
【図２】
2015012421.tif 000007
【図３】
2015012421.tif 000008
【図４】
2015012421.tif 000009
【図５】
2015012421.tif 000010
【図６】
2015012421.tif 000011
【図７】
2015012421.tif 000012
【図８】
2015012421.tif 000013
【図９】
2015012421.tif 000014
【図１０】
2015012421.tif 000015
【図１１】
2015012421.tif 000016